(57)【要約】【課題】麻酔薬容器からの揮発性麻酔薬の漏れを防ぎ、かつ揮発性麻酔薬の注入作業を簡単に行うことができる麻酔薬誤注入防止装置、および麻酔薬誤注入防止システムを提供する。【解決手段】麻酔薬容器の口に取り付けられる注入アダプタ５の挿入部５１の外周面に、注入アダプタ５が対応する揮発性麻酔薬の種類を表すキー５１２が設けられ、麻酔薬誤注入防止装置の挿入口に設けられた識別部材３３には、麻酔薬誤注入防止装置が対応する揮発性麻酔薬の種類を表すキー溝３３１が設けられている。挿入口に挿入部５１を挿入すると、キー５１２は、識別部材３３に当接し、キー５１２の斜面５１３によってキー溝３３１を押圧して識別部材３３を時計方向もしくは反時計方向に回転させるので、麻酔薬容器を回転させる必要がなくなり、揮発性麻酔薬の漏れを防止することができる。【選択図】図９
2017086781.tif 000002
【特許請求の範囲】
【請求項１】
揮発性麻酔薬を気化する麻酔薬気化器に設けられ、前記麻酔薬気化器に適合する揮発性麻酔薬とは種類の異なる揮発性麻酔薬が麻酔薬容器から注入されるのを防止するための麻酔薬誤注入防止装置であって、
略円筒形状の挿入口を備える本体部と、
前記麻酔薬気化器に適合する揮発性麻酔薬の種類を表す第１の識別部が内径部に設けられ、前記挿入口の中心軸周りで回転自在となるように前記本体部に保持された円環状の識別部材と、を備えており、
前記識別部材は、
前記麻酔薬容器の口に取り付けられた注入アダプタの略円筒形状をした挿入部が前記挿入口に挿入された場合に、前記第１の識別部と、前記麻酔薬容器内の揮発性麻酔薬の種類を表すために前記挿入部の外周面に設けられた第２の識別部材とが当接して、前記第１の識別部と前記第２の識別部とのいずれか一方もしくは両方に設けられた斜面に沿って前記第１の識別部が移動することにより回転し、
前記第１の識別部と前記第２の識別部の形状が一致する場合には、前記挿入部を前記挿入口に受け入れ、前記第１の識別部と前記第２の識別部の形状が一致しない場合には、前記挿入口に対する前記挿入部の挿入を阻止する、
ことを特徴とする麻酔薬誤注入防止装置。
【請求項２】
揮発性麻酔薬を気化する麻酔薬気化器に設けられ、前記麻酔薬気化器に適合する揮発性麻酔薬とは種類の異なる揮発性麻酔薬が麻酔薬容器から注入されるのを防止するための麻酔薬誤注入防止装置と、前記麻酔薬容器の口に取り付けられて前記麻酔薬誤注入防止装置から前記揮発性麻酔薬を注入するための注入アダプタと、を含む麻酔薬誤注入防止システムであって、
前記麻酔薬誤注入防止装置は、
前記注入アダプタの挿入部が挿入される略円筒形状の挿入口が設けられた本体部と、
前記麻酔薬気化器に適合する揮発性麻酔薬の種類を表す第１の識別部が内径部に設けられ、前記挿入口の中心軸周りで回転自在となるように前記本体部に保持された円環状の識別部材と、を備えており、
前記注入アダプタは、
前記挿入口に挿入される略円筒形状の挿入部と、
前記挿入部の外周面に設けられ、前記麻酔薬容器内の揮発性麻酔薬の種類を表す第２の識別部と、を備えており、
前記識別部材は、
前記挿入部が前記挿入口に挿入された場合に、前記第１の識別部と前記第２の識別部材とが当接して、前記第１の識別部と前記第２の識別部とのいずれか一方もしくは両方に設けられた斜面に沿って前記第１の識別部が移動することにより回転し、
前記第１の識別部と前記第２の識別部の形状が一致する場合には、前記挿入部を前記挿入口に受け入れ、前記第１の識別部と前記第２の識別部の形状が一致しない場合には、前記挿入口に対する前記挿入部の挿入を阻止する、
ことを特徴とする麻酔薬誤注入防止システム。
【請求項３】
前記第１の識別部と前記第２の識別部のいずれか一方は、揮発性麻酔薬の種類を幅、配置もしくは配置数の少なくともいずれか１つによって表すキーであり、他方は、前記キーに適合するキー溝である、
ことを特徴とする請求項２に記載の麻酔薬誤注入防止システム。
【請求項４】
前記斜面は、前記キーの端面に設けられていて、前記識別部材を前記挿入口の中心軸周りで第１の方向に回転させる第１の斜面と、前記第１の斜面と異なる方向に傾斜して前記識別部材を前記第１の方向と反対側の第２の方向に回転させる第２の斜面とを含む、
ことを特徴とする請求項２または３に記載の麻酔薬誤注入防止システム。
【請求項５】
前記キーおよびキー溝は、前記挿入部または前記挿入口の中心軸周りに複数個が等間隔で配置されている、
ことを特徴とする請求項２ないし４のいずれか１項に記載の麻酔薬誤注入防止システム。
【発明の詳細な説明】
【技術分野】
【０００１】
本発明は、揮発性麻酔薬を気化する麻酔薬気化器に液状の揮発性麻酔薬が誤注入されるのを防止するための麻酔薬誤注入防止装置、および麻酔薬誤注入防止システムに関する。
【背景技術】
【０００２】
患者に麻酔をかけるために用いられる麻酔システムには、揮発性麻酔薬を気化し、気化した麻酔ガスの濃度調整を行うための麻酔薬気化器が組み込まれている。麻酔薬気化器は、揮発性麻酔薬を貯留するタンクと、揮発性麻酔薬が収容された麻酔薬容器からタンクに揮発性麻酔薬を注入するための麻酔薬注入部とを備える。麻酔薬注入部には、タンクに接続された略円筒形状の挿入口が設けられている。麻酔薬容器には、口の外周に口ネジが設けられており、この口ネジを利用して注入アダプタが取り付けられる。注入アダプタは、麻酔薬注入部の挿入口に挿入される略円筒形状の挿入部が設けられている。
【０００３】
揮発性麻酔薬には、例えば、セボフルラン、イソフルラン、エンフルラン、ハロタンなど複数の種類があり、それぞれ、沸点、飽和蒸気圧、ＭＡＣ（Ｍｉｎｉｍｕｎ  Ａｌｖｅｏｌａｒ  Ｃｏｎｃｅｎｔｒａｔｉｏｎ：最小肺胞内濃度）等の特性は異なっているため、正確な濃度を得るためにはそれぞれの揮発性麻酔薬に対応した専用の麻酔薬気化器が必要となる（例えば、非特許文献１参照）。そのため、麻酔薬気化器に違う種類の揮発性麻酔薬が注入されないように運用している。このような医療施設での運用を適切に行えるようにするために、注入アダプタと麻酔薬気化器とを揮発性麻酔薬の種類ごとに対応付けておき、麻酔薬気化器に適合する揮発性麻酔薬とは種類の異なる揮発性麻酔薬が麻酔薬容器から注入されるのを防止するための麻酔薬誤注入防止システムが発明されている（例えば、特許文献１、特許文献２及び特許文献３参照）。
【０００４】
特許文献１の麻酔薬誤注入防止システムは、注入アダプタの挿入部に揮発性麻酔薬の種類を幅と配置間隔とによって表すキーを設け、麻酔薬注入部の挿入口には、注入アダプタのキーに適合する幅と配置間隔とを有するキー溝を設けている。これにより、挿入部のキーが挿入口のキー溝に適合した場合に、挿入部が挿入口に挿入可能となるので、揮発性麻酔薬の誤注入を防止することができる。
【０００５】
特許文献２の麻酔薬誤注入防止システムは、注入アダプタの挿入部の外周面に揮発性麻酔薬の種類を角数によって表す多角形のキーを設け、挿入部の先端には、多角形キーの角数と同数の櫛歯状のキー溝を設けている。そして、麻酔薬注入部の挿入口には、注入アダプタの多角形キーに適合する多角形のキー穴と、櫛歯状キー溝に適合する櫛歯状のキーとを設けている。これにより、挿入部の多角形キーおよび櫛歯状キー溝が、挿入口の多角形キー穴および櫛歯状キーに適合した場合に、挿入部が挿入口に挿入可能となるので、揮発性麻酔薬の誤注入を防止することができる。
【０００６】
特許文献３の麻酔薬誤注入防止システムは、注入アダプタの挿入部に、挿入部の中心軸周りで回転自在とされた円筒部材を設け、この円筒部材の外周面に揮発性麻酔薬の種類を配置数と配置間隔とによって表すキーを設けている。そして、麻酔薬注入部の挿入口には、注入アダプタのキーに適合するキー溝を設けている。これにより、挿入部のキーが挿入口のキー溝に適合した場合に、挿入部が挿入口に挿入可能となるので、揮発性麻酔薬の誤注入を防止することができる。
【先行技術文献】
【特許文献】
【０００７】
【特許文献１】米国特許第６９２９０４１号
【特許文献２】米国特許第７２８７５６１号
【特許文献３】米国公開特許２００８／０３０８１７９号
【非特許文献】
【０００８】
【非特許文献１】道野朋洋、土肥修司、「特集：全身麻酔器の現状と展望  気化器」、医療機器学、日本医療機器学会、2005年、Vol.75、 No.8
【発明の概要】
【発明が解決しようとする課題】
【０００９】
特許文献１の麻酔薬誤注入防止システムは、注入アダプタの外周面にキーの向きを表す凸部が設けられており、この凸部が上を向く状態で挿入部を挿入口に挿入すると、挿入部のキーがキー溝に一致するようになっている。しかしながら、この麻酔薬誤注入防止システムでは、注入アダプタの凸部を目視や触覚によって確認して、凸部が上を向くように麻酔薬容器の向きを合わせなければならないので、注入作業が煩雑になってしまう。また、注入アダプタの凸部が上を向くようにして挿入することを知らない作業者は、挿入部を挿入口に挿入した後に、挿入部のキーが挿入口のキー溝と一致するまで麻酔薬容器を回転させてしまい、注入アダプタの取り付けが緩んで麻酔薬容器から揮発性麻酔薬が漏れてしまうことがあった。
【００１０】
同様に、特許文献２の麻酔薬誤注入防止システムも、注入アダプタの多角形キーおよび櫛歯状キー溝が麻酔薬注入部の多角形キー穴および櫛歯状キーに一致するように確認して位置を合わせなければならないので、注入作業が煩雑になる。また、キーなどの位置合わせを行わずに挿入部を挿入口に挿入して麻酔薬容器が回転されると、特許文献１の麻酔薬誤注入防止システムと同様に注入アダプタの取り付けが緩み、揮発性麻酔薬が漏れてしまう。
【００１１】
これに対し、特許文献３の麻酔薬誤注入防止システムは、注入アダプタの円筒部材を回転させてキーをキー溝に合わせることができるので、注入アダプタの取り付けが緩んで揮発性麻酔薬が漏れることはない。しかしながら、このシステムでは、注入アダプタの先端の小さな円筒部材を、キーとキー溝とが一致するように回転させなければならないので、注入作業の煩雑さは解消できない。
【００１２】
本発明は、上記課題を解決するために、麻酔薬容器からの揮発性麻酔薬の漏れを防ぎ、かつ揮発性麻酔薬の注入作業を簡単に行うことができる麻酔薬誤注入防止装置、および麻酔薬誤注入防止システムを提供することを目的とする。
【課題を解決するための手段】
【００１３】
上記課題を解決するために、請求項１に記載の発明は、揮発性麻酔薬を気化する麻酔薬気化器に設けられ、麻酔薬気化器に適合する揮発性麻酔薬とは種類の異なる揮発性麻酔薬が麻酔薬容器から注入されるのを防止するための麻酔薬誤注入防止装置である。この麻酔薬誤注入防止装置は、略円筒形状の挿入口を備える本体部と、麻酔薬気化器に適合する揮発性麻酔薬の種類を表す第１の識別部が内径部に設けられ、挿入口の中心軸周りで回転自在となるように本体部に保持された円環状の識別部材とを備えている。この識別部材は、麻酔薬容器の口に取り付けられた注入アダプタの略円筒形状をした挿入部が挿入口に挿入された場合に、第１の識別部と、麻酔薬容器内の揮発性麻酔薬の種類を表すために挿入部の外周面に設けられた第２の識別部材とが当接して、第１の識別部と第２の識別部とのいずれか一方もしくは両方に設けられた斜面に沿って第１の識別部が移動することにより回転する。また、第１の識別部と第２の識別部の形状が一致する場合には、挿入部を挿入口に受け入れ、第１の識別部と第２の識別部の形状が一致しない場合には、挿入口に対する挿入部の挿入を阻止するものである。
【００１４】
請求項２に記載の発明は、揮発性麻酔薬を気化する麻酔薬気化器に設けられ、麻酔薬気化器に適合する揮発性麻酔薬とは種類の異なる揮発性麻酔薬が麻酔薬容器から注入されるのを防止するための麻酔薬誤注入防止装置と、麻酔薬容器の口に取り付けられて麻酔薬誤注入防止装置から揮発性麻酔薬を注入するための注入アダプタと、を含む麻酔薬誤注入防止システムである。麻酔薬誤注入防止装置は、注入アダプタの挿入部が挿入される略円筒形状の挿入口が設けられた本体部と、麻酔薬気化器に適合する揮発性麻酔薬の種類を表す第１の識別部が内径部に設けられ、挿入口の中心軸周りで回転自在となるように本体部に保持された円環状の識別部材とを備えている。また、注入アダプタは、挿入口に挿入される略円筒形状の挿入部と、挿入部の外周面に設けられ、麻酔薬容器内の揮発性麻酔薬の種類を表す第２の識別部とを備えている。識別部材は、挿入部が挿入口に挿入された場合に、第１の識別部と第２の識別部材とが当接して、第１の識別部と第２の識別部とのいずれか一方もしくは両方に設けられた斜面に沿って第１の識別部が移動することにより回転する。また、第１の識別部と第２の識別部の形状が一致する場合には、挿入部を挿入口に受け入れ、第１の識別部と第２の識別部の形状が一致しない場合には、挿入口に対する挿入部の挿入を阻止するものである。
【００１５】
請求項１および請求項２の発明によれば、注入アダプタの挿入部を麻酔薬誤注入防止装置の挿入口に挿入した場合に、挿入口の第１の識別部と挿入部の第２の識別部のいずれか一方もしくは両方に設けられた斜面に沿って第１の識別部が移動することにより、識別部材が回転する。識別部材は、第１の識別部と第２の識別部の形状が一致する場合には、挿入部を挿入口に受け入れ、第１の識別部と第２の識別部の形状が一致しない場合には、挿入口に対する挿入部の挿入を阻止する。
【００１６】
請求項３に記載の発明は、請求項２に記載の麻酔薬誤注入防止システムにおいて、第１の識別部と第２の識別部のいずれか一方は、揮発性麻酔薬の種類を幅、配置もしくは配置数の少なくともいずれか１つによって表すキーであり、他方は、キーに適合するキー溝であることを特徴とする。
【００１７】
請求項４に記載の発明は、請求項２または３に記載の麻酔薬誤注入防止システムにおいて、斜面は、キーの端面に設けられていて、識別部材を挿入口の中心軸周りで第１の方向に回転させる第１の斜面と、第１の斜面と異なる方向に傾斜して識別部材を第１の方向と反対側の第２の方向に回転させる第２の斜面とを含むことを特徴とする。
【００１８】
請求項５に記載の発明は、請求項２ないし４のいずれか１項に記載の麻酔薬誤注入防止システムにおいて、キーおよびキー溝は、挿入部または挿入口の中心軸周りに複数個が等間隔で配置されていることを特徴とする。
【発明の効果】
【００１９】
請求項１および請求項２の発明によれば、注入アダプタの挿入部を麻酔薬誤注入防止装置の挿入口に挿入した場合に、挿入口の第１の識別部と挿入部の第２の識別部のいずれか一方もしくは両方に設けられた斜面によって識別部材が回転するので、麻酔薬容器を回転させなくても挿入部を挿入口に挿入することができる。これにより、注入アダプタ５の取り付けが緩むこともなくなるので、揮発性麻酔薬の漏れを防止することができる。また、注入アダプタを麻酔薬誤注入防止装置に挿入する際に、挿入部の第２の識別部と挿入口の第１の識別部とを位置合わせする必要がないので、揮発性麻酔薬の注入作業が簡単になる。
【００２０】
請求項３に記載の発明によれば、第１の識別部と第２の識別部のいずれか一方をキーとし、他方をキー溝としたので、挿入部および挿入口の形状などの各種条件に応じてキーとキー溝とをどちらに設けるかを任意に選択することができる。したがって、注入アダプタおよび麻酔薬誤注入防止装置の設計自由度が向上し、より注入作業がしやすい麻酔薬誤注入防止システムを提供することができる。
【００２１】
請求項４に記載の発明によれば、第１の方向に回転させる第１の斜面と、第２の方向に回転させる第２の斜面とを設けたので、１方向だけの斜面に沿って回転する場合に比べて識別部材の回転量が少なくなる。したがって、識別部材の回転による第１の識別部と第２の識別部との位置合わせが短時間で行なわれるようになるので、注入作業が迅速に行なえるようになる。
【００２２】
請求項５に記載の発明によれば、キーおよびキー溝は、挿入部または挿入口の中心軸周りに複数個を等間隔で配置するようにしたので、注入アダプタの第２の識別部がどのような位置で麻酔薬誤注入防止装置の挿入口に挿入された場合でも、識別部材の位置合わせが迅速に行なわれるようになる。
【図面の簡単な説明】
【００２３】
【図１】麻酔薬誤注入防止システムの構成を示す斜視図である。
【図２】麻酔薬誤注入防止の外観斜視図である。
【図３】麻酔薬誤注入防止の構成を示す断面図である。
【図４】注入アダプタの外観斜視図である。
【図５】注入アダプタの平面図である。
【図６】注入アダプタの構成を示す断面図である。
【図７】注入アダプタの挿入部を麻酔薬誤注入防止の挿入口に挿入した状態を示す断面図である。
【図８】注入アダプタおよび識別部材の他の例を示す平面図である。
【図９】注入アダプタの挿入部と識別部材の挿入関係を示す斜視図である。
【図１０】第２の実施の形態の注入アダプタおよび識別部材の平面図である。
【図１１】キーおよびキー溝を１つにした場合の注入アダプタおよび識別部材の平面図である。
【発明を実施するための形態】
【００２４】
（実施の形態１）
以下、この発明を図示の実施の形態に基づいて説明する。
【００２５】
図１は、本実施の形態の麻酔薬誤注入防止システム１を示す斜視図である。麻酔薬誤注入防止システム１は、麻酔薬気化器２に設けられた麻酔薬誤注入防止装置３と、麻酔薬容器４の口４１に取り付けられた注入アダプタ５とから構成されている。麻酔薬気化器２は、タンク２１に貯留した揮発性麻酔薬６を気化し、気化した麻酔ガスの濃度調整を行うための装置であり、患者に麻酔をかけるために用いられる麻酔システムに組み込まれる。
【００２６】
麻酔薬誤注入防止装置３には、タンク２１に接続された略円筒形状の挿入口３１が設けられている。麻酔薬容器４には、口４１の外周に口ネジ４１１（図４参照）が設けられており、この口ネジ４１１を利用して注入アダプタ５が取り付けられている。注入アダプタ５は、麻酔薬誤注入防止装置３の挿入口３１に挿入される略円筒形状の挿入部５１を備えている。麻酔薬容器４内の揮発性麻酔薬６は、挿入口３１に挿入部５１が挿入された場合に、麻酔薬誤注入防止装置３を介して麻酔薬容器４からタンク２１に注入される。
【００２７】
図２は、麻酔薬誤注入防止装置３の外観形状を示す斜視図、図３は、麻酔薬誤注入防止装置３の構成を示す断面図である。麻酔薬誤注入防止装置３は、挿入口３１が設けられた略円筒形状の本体部３２と、本体部３２内に収容された識別部材３３とを備える。
【００２８】
本体部３２は、円筒形状の筒部材３２１と、筒部材３２１に嵌合された中間部材３２２と、筒部材３２１と中間部材３２２との間に組み込まれた弁機構３２３と、中間部材３２２の先端に螺合される蓋部材３２４とを備える。
【００２９】
筒部材３２１は、底面に揮発性麻酔薬６をタンク２１に流入させるための複数個の孔３２１ａが設けられており、上部には、中間部材３２２が嵌合される開口部３２１ｂが設けられている。筒部材３２１は、中間部材３２２とともに麻酔薬気化器２に嵌合される。
【００３０】
中間部材３２２は、略円筒形状をしており、その内部には、挿入口３１が設けられている。挿入口３１内には、注入アダプタ５の弁機構５４（図６参照）を開放するための開放突起３２２ａと、麻酔薬６を筒部材３２１に流入させるための複数個の孔３２２ｂとが設けられている。また、中間部材３２２の外周面には、蓋部材３２４が嵌合される雄ねじ３２２ｃと、麻酔薬気化器２との間に密閉性を付与するためのＯリング３２２ｄが嵌め込まれた溝部３２２ｅとが設けられている。中間部材３２２の下部には、筒部材３２１の開口部３２１ｂに嵌合される嵌合部３２２ｆが設けられている。嵌合部３２２ｆの外周面には、筒部材３２１との間に密閉性を付与するためのＯリング３２２ｇが嵌め込まれた溝部３２２ｈが設けられている。
【００３１】
弁機構３２３は、弁本体３２３ａと、弁本体３２３ａの上面に立設されたピン３２３ｂと、弁本体３２３ａを中間部材３２２に押しつけるバネ３２３ｃと、勘合部３２２ｆの内周面との間に密閉性を付与するためのＯリング３２３ｄとを備える。弁本体３２３ａは、略円盤形状をしており、上面の端縁は勘合部３２２ｆの内周面に合わせて面取りされ、Ｏリング３２３ｄが嵌め込まれている。ピン３２３ｂは、略円柱形状をしており、中間部材３２２の底面を貫通して挿入口３１内に突出されている。
【００３２】
蓋部材３２４は、上面に挿入口３１を開放するための開口部３２４ａが設けられた略円筒形状をしており、内周面には、中間部材３２２の雄ねじ３２２ｃが螺合される雌ねじ３２４ｂが設けられている。
【００３３】
識別部材３３は、略円環形状をしており、中間部材３２２と蓋部材３２４との間に形成されるスペース内に収容され、挿入口３１の中心軸周りで回転自在となるように本体部３２に保持されている。識別部材３３の内径部には、麻酔薬気化器２に適合する揮発性麻酔薬６の種類を表すキー溝（第１の識別部）３３１が設けられている。図示している識別部材３３は、例えば、セボフルランに対応するものであり、キー溝３３１は、周方向において等間隔に５個が配置されている。
【００３４】
図４は、注入アダプタ５の外観形状を示す斜視図、図５は、注入アダプタ５の平面図、図６は、注入アダプタ５の構成を示す断面図である。注入アダプタ５は、麻酔薬容器４の口ネジ４１１に螺合される雌ねじ５２ａが内径部に設けられた略円筒形状の基部５２と、基部５２の上部に設けられた挿入部５１とを備える。基部５２の下端には、対応する揮発性麻酔薬６の種類を幅と配置間隔とによって表す切欠５２ｂが設けられている。麻酔薬容器４の口４１の外周には、注入アダプタ５の切欠５２ｂに対応する幅と配置間隔で突起４２ａが設けられたリング状のカラー４２が取り付けられている。注入アダプタ５は、切欠５２ｂがカラー４２の突起４２ａと一致した場合に麻酔薬容器４に取り付けられるようになっているので、適合しない種類の揮発性麻酔薬６が収容された麻酔薬容器４への取り付けを防止することができる。
【００３５】
挿入部５１の先端側には、挿入口３１に挿入された際に、挿入口３１との間に密閉性を付与するためのＯリング５１１が取り付けられている。挿入部５１の根本側の外周面には、適合する揮発性麻酔薬６の種類を表す複数個のキー（第２の識別部）５１２が設けられている。図示している注入アダプタ５は、例えば、セボフルランに対応するものであり、キー５１２は、周方向において等間隔に５個が配置されている。キー５１２の端部には、挿入口３１に挿入された際に、キー溝３３１と当接して識別部材３３を回転させる斜面５１３が設けられている。この斜面５１３は、図４において、識別部材３３を反時計方向（第１の方向）に回転させる第１の斜面５１３ａと、時計方向（第２の方向）に回転させる第２の斜面５１３ｂとから構成されている。第１の斜面５１３ａと第２の斜面５１３ｂは、キー５１２の端部が略山型になるように連なって設けられている。
【００３６】
識別部材３３は、キー溝３３１と、挿入部５１のキー５１２の形状が一致する場合には、挿入部５１を挿入口３１に受け入れる。また、これとは逆に、キー溝３３１と、挿入部５１のキー５１２の形状が一致しない場合には、識別部材３３は、挿入口３１に対する挿入部５１の挿入を阻止する。
【００３７】
挿入部５１および基部５２内には、麻酔薬６の通路５３が設けられている。通路５３内には、通路５３を開閉する弁機構５４が設けられている。弁機構５４は、弁本体５４１、バネ５４２およびバネ受け部材５４３によって構成されている。弁本体５４１は、通路５３内に設けられた段差部５３１に当接する円盤部５４１ａと、この円盤部５４１ａの下部に設けられたガイド棒５４１ｂとを備えており、通路５３内に挿通されている。バネ５４２は、ガイド棒５４１ｂの外周に配置されて、弁本体５４１を段差部５３１に押しつけている。バネ受け部材５４３は、基部５２内に固定されてバネ５４２の下端を受けるとともに、ガイド棒５４１ｂをガイドする。
【００３８】
弁機構３２３は、通常時はバネ３２３ｃの付勢によって弁本体３２３ａが中間部材３２２に密接することにより、挿入口３１を閉鎖している。また、弁機構５４も、通常時はバネ５４２の付勢によって弁本体５４１が段差部５３１に密接することにより、通路５３を閉鎖している。弁機構３２３は、図７に示すように、挿入口３１に注入アダプタ５の挿入部５１が挿入され、挿入部５１によってピン３２３ｂが押されると、弁本体３２３ａがバネ３２３ｃの付勢に抗して軸方向に移動し、挿入口３１を開放する。また、弁機構５４は、挿入部５１が挿入口３１に挿入されて、通路５３内に挿入された開放突起３２２ａによって弁本体５４１が押されると、弁本体５４１はバネ５４２の付勢に抗して軸方向に移動し、通路５３を開放する。
【００３９】
図８は、セボフルラン以外の揮発性麻酔薬に対応した注入アダプタ５Ａと、識別部材３３Ａの平面図である。同図（Ａ）に示す注入アダプタ５Ａおよび識別部材３３Ａは、３個のキー５１２Ａおよびキー溝３３１Ａを備えており、例えばイソフルランに対応している。また、同図（Ｂ）に示す注入アダプタ５Ｂおよび識別部材３３Ｂは、４個のキー５１２Ｂおよびキー溝３３１Ｂを備えており、例えばエンフルランに対応している。同様に、同図（Ｃ）に示す注入アダプタ５Ｃおよび識別部材３３Ｃは、６個のキー５１２Ｃおよびキー溝３３１Ｃを備えており、例えばハロタンに対応している。キー５１２およびキー溝３３１の幅は、挿入部５１が挿入口３１に挿入された際に、識別部材３３が斜面５１３によってすぐに回転するようにするために、個数に応じて幅が変えられている。すなわち、キー５１２およびキー溝３３１の幅は、個数が多くなるほど狭くなり、個数が少なくなるほど広くなる。このように、注入アダプタ５および識別部材３３は、キー５１２およびキー溝３３１の個数および幅によって複数種類の揮発性麻酔薬６に対応付けされている。
【００４０】
次に、上記実施の形態の作用について説明する。麻酔薬気化器２に揮発性麻酔薬６を注入する際には、麻酔薬気化器２に適合する揮発性麻酔薬６が収容された麻酔薬容器４に、適合する注入アダプタ５が取り付けられる。注入アダプタ５の基部５２と、麻酔薬容器４のカラー４２には、適合する揮発性麻酔薬６の種類を幅と配置間隔とによって表す切欠５２ｂおよび突起４２ａが設けられており、注入アダプタ５は、切欠５２ｂと突起４２ａとが一致した場合に麻酔薬容器４に取り付けられるようになっているので、取り付けミスを防止することができる。
【００４１】
次いで、麻酔薬容器４を保持して、麻酔薬誤注入防止装置３の挿入口３１に注入アダプタ５の挿入部５１を挿入する。図９に示すように、挿入部５１の外周面に設けられたキー５１２は、挿入口３１内の識別部材３３に当接し、キー５１２の斜面５１３によってキー溝３３１を押圧して識別部材３３を時計方向もしくは反時計方向に回転させる。
【００４２】
識別部材３３は、キー溝３３１と、挿入部５１のキー５１２の形状が一致する場合には、挿入部５１を挿入口３１に受け入れる。これにより、挿入口３１の弁機構３２３と、挿入部５１の弁機構５４が開くので、麻酔薬容器４内の揮発性麻酔薬６は、麻酔薬誤注入防止装置３を介してタンク２１に流入する。
【００４３】
また、これとは逆に、キー溝３３１と、挿入部５１のキー５１２の形状が一致しない場合には、識別部材３３は、挿入口３１に対する挿入部５１の挿入を阻止するので、適合しない揮発性麻酔薬６が注入されることによる揮発性麻酔薬６の混合を防止することができる。
【００４４】
以上で説明したように、本実施の形態の麻酔薬誤注入防止システム１によれば、注入アダプタ５の挿入部５１を麻酔薬誤注入防止装置３の挿入口３１に挿入した場合に、挿入部５１のキー５１２の斜面５１３によって識別部材３３が回転するので、麻酔薬容器４を回転させなくても挿入部５１を挿入口３１に挿入することができる。これにより、注入アダプタ５の取り付けが緩むこともなくなるので、揮発性麻酔薬６の漏れを防止することができる。また、注入アダプタ５を麻酔薬誤注入防止装置３に挿入する際に、挿入部５１のキー５１２と挿入口３１のキー溝３３１とを位置合わせする必要がないので、揮発性麻酔薬６の注入作業が簡単になる。
【００４５】
また、挿入部５１のキー５１２に、識別部材３３を反時計方向（第１の方向）に回転させる第１の斜面５１３ａと、時計方向（第２の方向）に回転させる第２の斜面５１３ｂとを設けたので、１方向だけの斜面に沿って回転する場合に比べて識別部材３３の回転量が少なくなる。したがって、識別部材３３の回転によるキー５１２とキー溝３３１との位置合わせが短時間で行なわれるようになるので、注入作業が迅速に行なえるようになる。
【００４６】
さらに、キー５１２およびキー溝３３１は、挿入部５１または挿入口３１の中心軸周りに複数個を等間隔で配置するようにしたので、注入アダプタ５のキー５１２がどのような位置で挿入口３１に挿入された場合でも、識別部材３３の位置合わせが迅速に行なわれるようになる。
【００４７】
（実施の形態２）
次に、本発明の第２の実施の形態について説明する。なお、第１の実施の形態と同部品については、同符号を用いて詳しい説明は省略する。図１０に示す注入アダプタ５Ｄおよび識別部材３３Ｄは、第１の実施の形態とは逆に、挿入部５１に複数個のキー溝５１４Ｄ設け、識別部材３３Ｄに複数個のキー３３２Ｄを設けている。また、識別部材３３Ｄのキー３３２Ｄには、第１の斜面３３３ａおよび第２の斜面３３３ｂからなる斜面３３３を設けている。このように、キーとキー溝とを設ける部位を逆にしても、第１の実施の形態と同様の作用・効果を得ることができる。
【００４８】
この実施の形態によれば、挿入部５１および挿入口３１の形状などの各種条件に応じてキーとキー溝とをどちらに設けるかを任意に選択することができる。したがって、注入アダプタ５および麻酔薬誤注入防止装置３の設計自由度が向上し、より注入作業がしやすい麻酔薬誤注入防止システム１を提供することができる。
【００４９】
上記第１および第２の実施の形態では、キーおよびキー溝を周方向に等間隔で複数個ずつ設けるようにしたが、図１１に示す注入アダプタ５Ｅおよび識別部材３３Ｅのように、キー５１２Ｅおよびキー溝３３１Ｅを１個ずつ設け、このキー５１２Ｅおよびキー溝３１１Ｅの幅寸法によって揮発性麻酔薬６の種類を識別するようにしてもよい。この場合、キー５１２Ｅに対してキー溝３１１Ｅの位置合わせが行なわれやすくするために、例えば、識別部材３３Ｅの外周縁に切欠３３４Ｅを形成し、この切欠３３４Ｅ内に中間部材３２２の端面に設けた規制ピン３２２ｊを挿入させ、識別部材３３Ｅの回転範囲に規制を加えるのが好ましい。
【００５０】
以上、この発明の各実施の形態を詳述してきたが、具体的な構成はこの実施の形態に限られるものではなく、この発明の要旨を逸脱しない範囲の設計の変更等があっても、この発明に含まれる。例えば、特許文献１〜３のような構成を有する麻酔薬誤注入防止システムに、本発明を適用することも可能である。また、上記各実施の形態では、キーに斜面を設けるようにしたが、キーとキー溝との両方に斜面を設けておき、斜面同士を当接させて識別部材を回転させるようにしてもよい。これによれば、斜面同士が摺接することになるので、識別部材の回転がよりスムーズに行われるようになる。
【符号の説明】
【００５１】
１      麻酔薬誤注入防止システム
２      麻酔薬気化器
３      麻酔薬誤注入防止装置
４      麻酔薬容器
５      注入アダプタ
６      揮発性麻酔薬
３１    挿入口
３３    識別部材
５１    挿入部
３３１  キー溝（第１の識別部）
５１２  キー（第２の識別部）
５１３  斜面
【図１】
2017086781.tif 000003
【図２】
2017086781.tif 000004
【図３】
2017086781.tif 000005
【図４】
2017086781.tif 000006
【図５】
2017086781.tif 000007
【図６】
2017086781.tif 000008
【図７】
2017086781.tif 000009
【図８】
2017086781.tif 000010
【図９】
2017086781.tif 000011
【図１０】
2017086781.tif 000012
【図１１】
2017086781.tif 000013